(57)【要約】【課題】  聖火燃焼のための空気通路をトーチ本体内に設けデザインの自由度を確保すること。【解決手段】本発明の装飾長尺材は、複数の放射ライン(Ｌ２)とから構成される断面形状を有し、一端(１ａ)から他端(１ｂ)にかけて前記断面形状が同一であり、中央に空洞が形成される長尺素材(100)を用いた装飾長尺材であって、前記長尺素材の側面は、該側面に交差する側面切削面に沿って、前記放射ライン(Ｌ２)の一部が切削除去され、少なくとも一部が前記一端(１ａ)から前記他端（１ｂ）方向に細くなるテーパ形状を有することを特徴とする。【選択図】図２
2019079764.tif 000002
【特許請求の範囲】
【請求項１】
複数の放射ラインを有する断面形状を有し、一端から他端にかけて前記断面形状が同一である長尺素材を用いた装飾長尺材であって、前記長尺素材の側面は、該側面に交差する側面切削面に沿って、前記放射ラインの一部が切削除去され、少なくとも一部が前記一端から前記他端方向に細くなるテーパ形状を有することを特徴とする装飾長尺材。
【請求項２】
請求項１記載の装飾長尺材であって、前記断面形状において、複数の前記放射ラインの中心部に空間を仕切る閉ラインを有し、前記空間が連続することにより、前記長尺材の一端から他端まで中央に空洞が形成されることを特徴とする装飾長尺材。
【請求項３】
請求項１または２記載の装飾長尺材であって、前記長尺素材は押し出し成型により成型された素材であることを特徴とする装飾長尺材。
【請求項４】
請求項１乃至３のいずれか記載の装飾長尺材であって、前記一端において、前記長尺素材の端面は中心に向けて角度が付いた端面切削面により切削除去された形状を有することを特徴とする装飾長尺材。
【請求項５】
請求項１乃至４のいずれか記載の装飾長尺材であって、前記側面切削面は湾曲していることを特徴とする装飾長尺材。
【請求項６】
請求項１乃至５のいずれか記載の装飾長尺材であって、前記断面形状において前記放射ラインは環状となり若しくは湾曲していることを特徴とする装飾長尺材。
【請求項７】
少なくとも一部がテーパ形状を有する装飾長尺材の製造方法であって、押し出し成型により、複数の放射ラインとから構成される断面形状を有する長尺素材を成型する工程と、該長尺素材の側面を、該側面に対して角度を付けて切削除去する工程と、を有することを特徴とする装飾長尺材の製造方法。
【請求項８】
請求項７記載の装飾長尺材の製造方法であって、前記断面形状において、複数の前記放射ラインの中心部に空間を仕切る閉ラインを有し、前記空間が連続することにより、前記長尺素材の一端から他端まで中央に空洞が形成されることを特徴とする製造方法。
【請求項９】
請求項７記載の装飾長尺材の製造方法であって、前記断面形状において前記放射ラインは環状となり若しくは湾曲していることを特徴とする装飾長尺材。
【請求項１０】
請求項８または７記載の装飾長尺材の製造方法であって、さらに、前記テーパ形状の幅広側一端において、前記長尺素材の端面を中心に向けて角度が付いた端面切削面に沿って切削除去する工程を有することを特徴とする装飾長尺材。
【請求項１１】
請求項７乃至１０記載の装飾長尺材の製造方法であって、前記側面の切削は水平または垂直方向に湾曲して行われることを特徴とする装飾長尺材。
【請求項１２】
請求項２乃至６記載のいずれか記載の装飾長尺材と、該装飾長尺材の前記テーパ形状の幅広側一端に固定した、聖火を点灯する燃料ユニットと、を有することを特徴とする聖火トーチ。
【請求項１３】
請求項１乃至６記載のいずれか記載の装飾長尺材と、該装飾長尺材の前記テーパ形状の幅広側一端に固定した、聖火を点灯する照明ユニットと、を有することを特徴とする照明器具。
【発明の詳細な説明】
【技術分野】
【０００１】
本発明は、テーパ形状を有する装飾長尺材とその製造方法、およびそれを用いた聖火リレーに使用する聖火トーチまたは照明器具に関するものである。
【背景技術】
【０００２】
従来、アルミ合金等を押し出し成型してなる長尺材は、サッシのフレーム等の建築資材や、オートバイのフレーム等の装置構造体に用いられている。
【先行技術文献】
【特許文献】
【０００３】
【特許文献１】特開2006-016920号
【特許文献２】特開2009-149307号
【発明の概要】
【発明が解決しようとする課題】
【０００４】
従来の押し出し成型による長尺材は、レールやガイドとなる機能的な形態を有するものであり(特開2006-016920号)、特に、押し出し成型による長尺材は、同一断面形状が一端から他端に連続するため、外観が単調になり、かかる長尺材が装飾用に用いることはなかった。
【０００５】
一方、押し出し成型による長尺材を構造材として用いることがあるが、軽量化するために中央に空洞を有する構造は提案されているが(特開2009-149307号)、やはり外観はシンプルな形状であり、同様に装飾材として用いる思想はなかった。
【０００６】
そこで、本発明の目的は、一端から他端まで断面形状が変わらない長尺素材を用い、その側面をテーパ状に切削除去することで側面に模様が施された装飾長尺材を提供し、また、長尺材を利用した聖火トーチを提案することにある。
【課題を解決するための手段】
【０００７】
上記目的を達成するための本発明の長尺材の代表的な構成は、複数の放射ラインを有する断面形状を有し、一端から他端にかけて前記断面形状が同一である長尺素材を用いた装飾長尺材であって、前記長尺素材の側面は、該側面に交差する側面切削面に沿って、前記放射ラインの一部が切削除去され、少なくとも一部が前記一端から前記他端方向に細くなるテーパ形状を有することを特徴とする。
【０００８】
また、少なくとも一部がテーパ形状を有する装飾長尺材の製造方法は、押し出し成型により、複数の放射ラインとから構成される断面形状を有する長尺素材を成型する工程と、該長尺素材の側面を、該側面に対して角度を付けて切削除去する工程と、を有することを特徴とする。
【０００９】
また、該装飾長尺材の前記空洞の、前記テーパ形状の幅広側一端側に固定した、聖火を点灯する燃料ユニットとからなる聖火トーチを提案する。
【００１０】
さらに、該装飾長尺材の前記空洞の、前記テーパ形状の幅広側一端に固定した、聖火を点灯する照明ユニットと、を有することを特徴とする照明器具を提案する。
【発明の効果】
【００１１】
本発明の装飾長尺材は、閉ラインの周囲に形成した複数の放射ラインを側面切削面で切削除去することにより、前記長尺材の側面に表れる、放射ラインの断面模様が変化し、装飾模様となって現れる。多様な放射ラインの形状と多用な切削角度を組み合わせれば、様々な模様を長尺材の側面に現出することができる。
【００１２】
また、本発明の装飾長尺材の製造方法によれば、一端から他端まで同一断面形状を有する長尺素材を押し出し成型により簡単に製造することができ、長尺素材の側面に対して角度を付けて切削除去することで、側面に装飾形状を現出させることができる。特に、かかる長尺材の装飾形状は一体に成型されたものであり、後付けて接着するような製造方法に比べて、強度が高い構造となる。
【００１３】
また、上記装飾長尺材を用いて、聖火トーチを構成すれば、成型した長尺素材を切削するだけで、変化に富んだ装飾が施されるため、生産性が高い、装飾性に富んだ聖火トーチとなる。特に、燃料ユニットは空洞の上端に固定されるので、放射ラインが連続することにより形成される溝または小空洞を通して供給される空気によって、円滑な燃焼を期待することができる。
【００１４】
さらに、上記装飾長尺材を用いて、照明器具を構成すれば、成型した長尺素材を切削するだけで、変化に富んだ装飾が施されるため、生産性が高い、装飾性に富んだ照明器具となる。
【図面の簡単な説明】
【００１５】
【図１】本発明の第１実施形態の長尺素材の説明図である。
【図２】本発明の第１実施形態の長尺素材の切削加工方法を説明する斜視図である。
【図３】本発明の第１実施形態の装飾長尺材の斜視図である。
【図４】本発明の第１実施形態の装飾長尺材を用いた聖火トーチの分解斜視図である。
【図５】本発明の第１実施形態の装飾長尺材を用いた照明器具の分解斜視図である。
【図６】本発明の外観デザインのバリエーションを示す第２実施形態の装飾長尺材の説明図である。
【図７】本発明の外観デザインのバリエーションを示す第３実施形態の装飾長尺材の説明図である。
【図８】本発明の外観デザインのバリエーションを示す第４実施形態の装飾長尺材の説明図である。
【図９】本発明の外観デザインのバリエーションを示す第５実施形態の装飾長尺材の説明図である。
【図１０】本発明の外観デザインのバリエーションを示す第６実施形態の装飾長尺材の説明図である。
【発明を実施するための形態】
【００１６】
本発明の装飾長尺材の第１実施形態を、図１乃至図３を用いて以下に説明する。図１(ａ)は本発明の第１実施形態の長尺素材の断面図、同図(ｂ)は同長尺素材の斜視図である。また、図２は同長尺素材を用いて装飾長尺材を製作するための切削加工方法を説明する斜視図、さらに図３は製作した装飾長尺材の斜視図を示す。
【００１７】
図１(ａ)に示すように、加工に用いる長尺部材100の断面は、中央の空間Ｓを仕切る閉ラインＬ１と、この閉ラインＬ１から連続し、外側に放射状に伸びる１０本の放射ラインＬ２を有する。放射ラインＬ２は隣接する２つが先端に行くほど近接するように、中央から外側に向かって両者間の距離が異なるように湾曲している。
【００１８】
また、向かい合った放射ラインＬ２の内側には、Ｔ字型の他の放射ラインＬ３が形成されている。すなわち、放射ラインＬ２、Ｌ３から構成される、５つの花弁が中央空間Ｓの周囲に放射状に配置されているごとき断面形状を有する。
【００１９】
図１(ｂ)は、金属で成型された長尺素材100の斜視図である。例えば、アルミ材をダイスにより押し出し成型することによって、製造され、一端100ａから他端100ｂまで、図１(ａ)で示した同一断面図が連続する。
【００２０】
上述したように、同断面図は中央に空間Ｓが形成されるが、ホローダイスを用いることにより、内部に空間Ｓを有するように、押し出し成型することができる。
【００２１】
長尺素材100は、図１(ａ)に示した断面が連続するため、５つの筒体102Ａ乃至102Ｅが背中合わせに、また、その筒体102Ａ乃至102Ｅの内側にはプレート体103Ａ乃至103Ｅが全て一体に形成されている。各筒体102Ａ乃至102Ｅのそれぞれの先端は帯状に開口するスリット102ａが形成され、長尺素材100の側面100ｃにはこれら５本のスリット102ａが現れる。また、これら筒体102Ａ乃至102Ｅに囲まれて空間Ｓが連続する空洞100ｄが形成される。
【００２２】
次に、図２を用いて、長尺素材100の切削加工作業を説明する。図２に示すように、長尺素材100の側面100ｃに交差する側面切削面ＣＰ１を設定し、ＮＣ装置等を用い、エンドミルにより薄墨で示す部位をこの切削面ＣＰ１に沿って切削する。
【００２３】
側面切削面ＣＰ１は所定角度をもって長尺素材100の側面100ｃを横断することで、切削加工後の長尺素材100は一端100ａから他端100ｂに向かってテーパ形状が形成される。この際、側面切削面ＣＰ１は筒体102Ａ乃至102Ｅの各スリット102ａ上端に交差するように設定される。
【００２４】
また、その際、側面切削面ＣＰは、長尺素材100の側面100ｃに対して、一端100ａでより角度が大きく、他端側で100ｂでより角度が小さくなるように湾曲した平面であって、一端100ａ側が他端100ｂに比べて径が広がったテーパ形状が形成される。
【００２５】
また、側面切削面ＣＰ１は、筒体102Ａ乃至102Ｅの各スリット102ａ上端と交差するように設定される。筒体102Ａ乃至102Ｅは、上述のように断面において中央から外側に互いの距離が変化する放射ラインＬ２で形成されるため、側面切削面ＣＰ１と交差する切断線ＣＬ１は、一端100ａ側と他端100ｂ側で変化する。
【００２６】
このため、筒体102Ａ乃至102Ｅの各スリット102ａは、切断線ＣＬ１により長尺素材100の一端100ａから他端100ｂに向けて広がる形状となり、筒状素材100に変化に富んだ外観を与えることとなる。
【００２７】
なお、側面切削面ＣＰ１による切削部位は空洞100ｄに達することはなく、空洞100ｄの中途部に穴が開き、または、この空洞100ｄを囲む部分が残存するので構造材として強度が低下することはない。
【００２８】
さらに、この長尺素材100の一端100ａは、端面切削面ＣＰ２により、中央の空洞100ｄ側に向かって角度を付けて切削される。端面切削面ＣＰ２と筒体102Ａ乃至Ｅとが交差する切断線ＣＬ２は、空洞100ｄに向かって傾斜する。
【００２９】
このため、長尺素材100の一端100ａにおいて、空洞100ｄの開口部は周囲の５つの筒体102Ａ乃至102Ｅは周囲に対して落ち込み、囲まれることとなる。
【００３０】
図３に、上記切削加工により製作された装飾長尺材１を示す。この装飾長尺材１の外観を詳述すると、次の通りである。
【００３１】
装飾長尺材１は、一端である上端１ａの径が大きく、他端である下端１ｂの径が小さい、側面１ｃにテーパ形状を有する全体形状を有する。このテーパ形状の角度は一律ではなく、上端１ａ側で角度が大きく、下端１ｂ側で角度が小さくなっている。
【００３２】
また、装飾長尺材１の中央には、周囲を５つの筒体２で囲まれた空洞１ｄが形成される。５つの筒体２の上端は中央に向けて角度をもって切断された切断線ＣＬ２となり、空洞１ｄの上端はこれら筒体５に周囲を囲まれ、落ち込んだ位置に形成される。
【００３３】
５つの筒体２の外端部には、スリット２ａが形成され、内部に形成されているプレート体３をこのスリット２ａから覗くことができる。スリット２ａの縁部は切断線ＣＬ１によって構成され、上述のように角度をもって切断された切断線ＣＬ１は筒体２を構成する筒体片２ｂ、２ｃ間の距離が投影されてカーブを描く。
【００３４】
このため、スリット２ａの下部２ａＬは、上部２ａＨに比べて広く、スリット２ａから覗くことができるプレート体３及び筒体片２ｂ、２ｃの内表面の面積は、装飾長尺材１の上端１ａから下端１ｂに向けて広くなり、一方、外から観察できる筒体片２ｂ、２ｃの該表面の面積は上端１ａから下端１ｂに向けて狭くなるといったように、その側面１ｃの形態が変化する。
【００３５】
なお、装飾長尺材表面の着色については、例えばアルミ素材で成型した場合は、例えばアルマイト塗装を施すことにより、耐久性のある加飾を行うことができ、マスキングを行えば、着色部位を選択することができる。例えば、筒体片２ｂ、２ｃの内側のみに着色を行った場合は、上述のように、スリット２ａを通して観察できる着色面積が装飾長尺材１の上端１ａから下端１ｂに向けて変化することになり、無着色部分との対比により、よりデザイン性に優れた部材を創出することができる。
【００３６】
以上説明したように、本発明の装飾長尺材及びその製造方法によれば、側面及び上端において、切断線ＣＬ１、ＣＬ２を変化させることができ、さらに、側面に表れる模様を変化に富んだものとすることができる。断面において、閉ラインＬ１と複数の放射ラインＬを有する、多様な断面形状の長尺素材100を準備すれば、側面切断面ＣＬ１の形状や角度との組み合わせで、多様な装飾形状を側面に持った装飾長尺材を創作することができる。
【００３７】
特に、長尺素材100を押し出し成型により製造し、ＮＣ装置により切削加工すれば、同一形状の装飾長尺材を大量に、かつ安価に生産することができ、例えば、柱材などの建築材や、街路灯などの照明器具の基体として使用することもできる。
【００３８】
図４により、本実施形態の装飾長尺材１を用いて構成する、聖火トーチについて説明する。図４は、聖火トーチ上端の、燃料ユニットを分離した状態の部分斜視図である。
【００３９】
聖火トーチ１Ｘは、上述した装飾長尺材１の上端１ａにおいて、空洞１ｄに燃料ユニット５を取り付けて構成される。
【００４０】
燃料ユニット５は、上端に燃料に点火する灯火部５ａを有し、天然ガスなどの燃焼性素材を収納する本体５ｂと、同本体５ｂに螺合するスリーブ状のマウント５ｃから構成される。マウント５ｃは空洞１ｄの開口部内に、溶接等により固定され、本体５ｂを内側にネジ式に固定して、聖火トーチ１Ｘを構成する。
【００４１】
上述したように、空洞１ｄの開口部は５つの筒体２に対して窪んだ位置に配置され、その周囲を囲まれるので、灯火部５ａは周囲から見えにくくなり、風等の影響を受けにくくするとともに、デザイン性に優れる聖火トーチとなる。
【００４２】
また、空洞１ｄは、装飾長尺材１の下端１ｂ(図３参照)から上端１ａまで貫いているため、燃焼のための給気は、常に、この空洞１ｄを通して行うことができる。そのため、給気のために、聖火トーチの側面に給気口を開口する必要はなく、同様にデザイン性に優れる聖火トーチを提供することができる。
【００４３】
なお、上述したように、本体５ｂはマウント５ｃに螺合するため、ネジ式で灯火部５ａの位置を変化させることができ、風雨などの環境変化に対応することができる。また、空洞１ｂの内部に燃焼のための空気の供給調整弁や、電動式のファンを設置することもで、燃焼量を調整する構成とすることもできる。
【００４４】
さらに、オリンピック大会の聖火トーチは、数か月に亘り、多数のランナーが参加して、多数の聖火トーチが使用される。そのため、例えば、複数の聖火トーチ１Ｘを準備する場合、それに使用する装飾長尺材１の、側面切削面の角度を徐々に変えることで徐々に形状を変化させ、オリンピック大会開催へのカウントダウンを聖火トーチ１Ｘの形状で発信することもできる。
【００４５】
図５により、本実施形態の装飾長尺材１を用いて構成する、照明器具について説明する。図５は、照明器具上端の、照明ユニットを分離した状態の部分斜視図である。
【００４６】
照明器具１Yは、上述した装飾長尺材１の上端１ａにおいて、空洞１ｄに照明ユニット６を取り付けて構成される。
【００４７】
照明ユニット６は、灯りを点灯させるＬＥＤ部６ａと、このＬＥＤ部６ａを取り付け、電源を供給するソケット５ｂとから構成される。ソケット６ｂは空洞１ｄの開口部内に、接着剤等により固定され、ＬＥＤ部６ａをソケット６ｂに嵌め込んだ場合、ＬＥＤ部６の光は筒体２の内側を照らし出し、間接照明となって、趣のある照明雰囲気を作り出すことができる。
【００４８】
また、装飾長尺体１は、熱伝導率の高いアルミ材等の金属材料で形成した場合、ＬＥＤ部６ａからの熱が容易に伝導され、表面積の大きい筒体２やプレート体３から放熱されるため、ヒートシンクとして機能させることができる。
【００４９】
次に、本発明の装飾長尺材の形状バリエーションを図６乃至図10を用いて説明する。これら図は、それぞれ第２乃至第６実施形態の装飾長尺材の説明図である。
【００５０】
図６は本発明の第２実施形態にかかる装飾長尺材である。同図(ｂ)に示すように、本実施形態の装飾長尺材10は、断面形状において、閉ラインＬ11により空間Ｓが形成され、さらに閉ラインＬ11から四方に張り出す第１、第２の放射ラインL12、L13を有している。この断面形状が一端から他端に連続する長尺素材(図示せず)を用いて、同図(ａ)に示す、装飾長尺材10を製造する。
【００５１】
同図(ａ)、(ｃ)及び(ｄ)に示すように、本実施形態の装飾長尺材10は、前記した長尺素材を用い、その側面10ｃ及び上端10ａを切削面で切削除去することで、側面10ｃに切断線ＣＬ11、上端10ａに切断線ＣＬ12が現れる。
【００５２】
このように構成された本実施形態の装飾長尺材10は、中央に空洞10ｄを有する幹管11が存在し、その四方に第１の筒体12、第２の筒体３が張り出し、かつ上端10ａが下端10ｂに比べて広がったテーパ形状を有する。上述のように、側面の切断面ＣＰ11は大きく湾曲しているので、第２の筒体13の開口部から第１の筒体１の一部が張り出す。また、上端は円錐状の端面切削面(図示せず)により、空洞10ｄの開口部が周囲の筒体12、13によって囲まれる形状となるのは、第１実施形態と同様である。
【００５３】
図７は本発明の第３実施形態にかかる装飾長尺材である。同図(ｂ)に示すように、本実施形態の装飾長尺材20は、断面形状において、閉ラインＬ21により空間Ｓが形成され、さらに閉ラインＬ21から六方向に張り出す放射ラインL22を有している。この断面形状が一端から他端に連続する長尺素材(図示せず)を用いて、同図(ａ)に示す、装飾長尺材20を製作する。
【００５４】
同図(ａ)、(ｃ)及び(ｄ)に示すように、本実施形態の装飾長尺材20は、前記した長尺素材を用い、その側面20ｃ及び上端20ａを切削面で切削除去することで、側面20ｃに切断線ＣＬ21、上端20ａに切断線ＣＬ22が現れる。
【００５５】
このように構成された本実施形態の装飾長尺材20は、中央に空洞20ｄを有する幹管21が存在し、周囲の６方向に筒体22が張り出し、かつ上端20ａが下端20ｂに比べて広がったテーパ形状を有する。また、上端は円錐状の端面切削面(図示せず)により、空洞20ｄの開口部が周囲の筒体22に囲まれる形状となるのは、第１実施形態と同様である。
【００５６】
図８は本発明の第４実施形態にかかる装飾長尺材である。同図(ｂ)に示すように、本実施形態の装飾長尺材30は、断面形状において、閉ラインＬ31により空間Ｓが形成され、さらに閉ラインＬ31から多方面に等間隔で張り出す放射ラインL32Ｒ、Ｌ32Ｌを有している。隣接する、それぞれの放射ラインＬ32Ｒ、Ｌ32Ｌは、水平方向において逆方向に湾曲している。この放射ラインＬ32Ｒ、Ｌ32Ｌは、互いに交差することで、網目状構造32を構成する。そして、この断面形状が一端から他端に連続する長尺素材(図示せず)を用いて、同図(ａ)に示す、装飾長尺材30を製作する。
【００５７】
同図(ａ)、(ｃ)及び(ｄ)に示すように、本実施形態の装飾長尺材30は、前記した長尺素材を用い、その側面30ｃ及び上端30ａを切削面で切削除去することで、側面30ｃに切断線ＣＬ31、上端30ａに切断線ＣＬ32が現れる。この際の側面切削面ＣＰ31は図示するように円錐面となる。
【００５８】
このように構成された本実施形態の装飾長尺材30は、中央に空洞30ｄを有する幹管31が存在し、周囲に多数の小空洞を有する網目構造体32が形成され、かつ上端30ａが下端30ｂに比べて広がったテーパ形状を有する。また、上端は円錐状の端面切削面(図示せず)により、空洞30ｄの開口部が周囲の網目構造体32に囲まれる形状となる。
【００５９】
なお、本実施形態の装飾長尺材を聖火トーチに使用した場合、装飾長尺材30の側面に一端が開口する網目構造体32の多数の小空洞は、すべての他端が、装飾長尺材30の上端30ａに開口するため、ランナーが走行中に側面30ｃから受けた風を上端30ａに吹き上げることになり、空洞30ｄのメインの給気路に加えて、聖火の燃焼をサポートすることができる。
【００６０】
また、本実施形態の装飾長尺材を照明装置の基体に使用した場合、上述のように、網目構造体32の多数の小空洞は全て垂直方向に形成されているため、下端30ｂから上方を照らす照明灯を設置し、上端30ａにリフレクタを設置すれば、光線は網目構造体32の空洞を通過してリフレクタに到達するため、間接照明器具として使用することもできる。
【００６１】
図９は本発明の第５実施形態にかかる装飾長尺材である。同図(ｂ)に示すように、本実施形態の装飾長尺材40は、断面形状において、閉ラインＬ41により空間Ｓが形成され、さらに閉ラインＬ41から多方面に直線状に伸びる放射ラインＬ42を有している。この放射ラインＬ42は、隣接する放射ラインＬ42同士で反対側に伸び、かつ互いが交差することで、網目状構造42を構成する。そして、この断面形状が一端から他端に連続する長尺素材(図示せず)を用いて、同図(ａ)に示す、装飾長尺材40を製作する。
【００６２】
同図(ａ)、(ｃ)及び(ｄ)に示すように、本実施形態の装飾長尺材40は、前記した長尺素材を用い、その側面40ｃ及び上端40ａを切削面で切削除去することで、側面40ｃに切断線ＣＬ41、上端40ａに切断線ＣＬ42が現れる。
【００６３】
このように構成された本実施形態の装飾長尺材40は、中央に空洞40ｄを有する幹管41が存在し、周囲に多数の小空洞を網目構造体42が形成され、かつ上端40ａが下端40ｂに比べて広がったテーパ形状を有する。また、上端は円錐状の端面切削面(図示せず)により、空洞40ｄの開口部が周囲の網目構造体42に囲まれる形状となるのは、第４実施形態と同様である。
【００６４】
なお、本実施形態の装飾長尺材40も、聖火トーチや照明器具の基体として用いた場合は、第４実施形態と同様の効果を発揮することができる。
【００６５】
図10は本発明の第６実施形態にかかる装飾長尺材である。同図(ｂ)に示すように、本実施形態の装飾長尺材50は、断面形状において５つの輪を円周上に配置した形状を有し、閉ラインＬ51により空間Ｓが形成され、さらに閉ラインＬ51から10方向に張り出し、同士が連続して５つの円を描く放射ラインL52を有している。この断面形状が一端から他端に連続する長尺素材(図示せず)を用いて、同図(ａ)に示す、装飾長尺材50を製作する。
【００６６】
同図(ａ)、(ｃ)及び(ｄ)に示すように、本実施形態の装飾長尺材50は、前記した長尺素材を用い、その側面50ｃ及び上端50ａを切削面で切削除去することで、側面50ｃに切断線ＣＬ51、上端50ａに切断線ＣＬ52が現れる。
【００６７】
このように構成された本実施形態の装飾長尺材30は、中央に空洞50ｄを有する五角形の幹管51が存在し、周囲の５方向に筒体52が張り出し、かつ上端50ａが下端50ｂに比べて広がったテーパ形状を有する。また、上端は円錐状の端面切削面(図示せず)により、空洞50ｄの開口部が周囲の筒体52に囲まれるが、筒体52が大きく、側面50ｃの切断線51による開口は大きいため、、空洞50ｄの開口部は側面から観察できる。
【００６８】
以上、本発明の実施形態について説明したが、本発明はこれに限られることなく、多様な構成を採用することができる。例えば、上記すべての実施形態では、断面形状における閉ラインによる空間が連続することにより空洞を形成したが、この空洞が無い構成を選択することもでき、放射ラインが中央の一点より放射状に延びる構造としてもよい。さらに、上記すべての実施形態では、断面形状をシンメトリーとしたが、アシンメトリーな形状として、空洞を中心から位置をずらして形成することもできる。
【００６９】
また、上記実施形態では、テーパ形状を側面の全体に施したが、切削しない部分を残し、一部のみにテーパ形状を設けてもよく、また、一端から他端における中央部分が括れるように、正逆方向に反対に傾斜するテーパ面を設けてもよい。
【００７０】
また、長尺素材の材質をアルミ等の金属の他、ポリマーなどの重合体や、セラミックを選択してもよい。また、長尺素材の成型手段として、押し出し成型加工の他、立体金型を用いた射出成型を選択してもよい。
【符号の説明】
【００７１】
１、10、20、30、40、50   装飾長尺材
１ａ、10ａ、20ａ、30ａ、40ａ、50ａ  上端（一端）
１ｂ、10ｂ、20ｂ、30ｂ、40ｂ、50ｂ  下端 (他端)
１ｃ、10ｃ、20ｃ、30ｃ、40ｃ、50ｃ  側面
１ｄ、10ｄ、20ｄ、30ｄ、40ｄ、50ｄ  空洞
５  燃料ユニット
１Ｘ  聖火トーチ
６  照明ユニット
１Y  照明器具
ＣＰ１、ＣＰ２、ＣＰ11、ＣＰ31  切断面
Ｌ１、Ｌ11、Ｌ21、Ｌ31、Ｌ41、Ｌ51  閉ライン
L ２、Ｌ12、Ｌ22、Ｌ32、Ｌ42、Ｌ52  放射ライン
L ３、Ｌ12、Ｌ22、Ｌ32、Ｌ42、Ｌ52  放射ライン
Ｓ  空間
【図１】
2019079764.tif 000003
【図２】
2019079764.tif 000004
【図３】
2019079764.tif 000005
【図４】
2019079764.tif 000006
【図５】
2019079764.tif 000007
【図６】
2019079764.tif 000008
【図７】
2019079764.tif 000009
【図８】
2019079764.tif 000010
【図９】
2019079764.tif 000011
【図１０】
2019079764.tif 000012